(57)【要約】【課題】  センサの検出精度の低下を抑制すること。【解決手段】  ロール状の記録紙を収納する収納部を有する固定側ユニットと、この固定側ユニットに開閉自在に支持される開閉側ユニットとを備え、固定側ユニットには、記録紙に付与されたマークを検出するセンサの光反射型センサ素子３８を備えた記録装置において、開閉側ユニットの開閉動作に連動し、センサの光反射型センサ素子３８上を移動して、当該センサの光反射型センサ素子３８上の紙粉等の異物を除去するクリーニング部７１を備えた。【選択図】      図７
2006062219.tif 000002
【特許請求の範囲】
【請求項１】
ロール状の記録紙を収納する収納部を有する固定側ユニットを備え、この固定側ユニッ
トに開閉自在に支持される開閉側ユニットを備え、固定側ユニットには、記録紙に付与さ
れたマークを検出するセンサを備え、前記開閉側ユニットの開閉動作に連動し、前記セン
サ上を移動して、当該センサ上の紙粉等の異物を除去するクリーニング手段を備えたこと
を特徴とする記録装置。
【請求項２】
前記クリーニング手段は、開閉側ユニットを開いた場合に、前記センサ上に移動し、開
閉側ユニットを閉じた場合に、前記センサ上から退避することを特徴とする請求項１記載
の記録装置。
【請求項３】
前記クリーニング手段は、シャッター部材を備え、このシャッター部材は、開閉側ユニ
ットを開いた場合に、前記センサ上に移動して当該センサを覆って保護すると共に、開閉
側ユニットを閉じた場合に、前記センサ上から退避することを特徴とする請求項１又は２
記載の記録装置。
【請求項４】
前記シャッター部材は、前記収納部において、ロール状の記録紙の紙幅を規制する紙幅
規制部材の外側に配置され、開閉側ユニットを開いた場合に、前記紙幅規制部材の切り欠
き部を通じてセンサ上に移動して当該センサを覆って保護することを特徴とする請求項３
記載の記録装置。
【請求項５】
前記クリーニング手段は、カム移動機構を介して、前記開閉側ユニットの開閉動作に連
動することを特徴とする請求項１乃至４のいずれか一項記載の記録装置。
【請求項６】
ロール状の記録紙を収納する収納部を有する固定側ユニットを備え、この固定側ユニッ
トに開閉自在に支持される開閉側ユニットを備え、固定側ユニットには、記録紙に付与さ
れたマークを検出するセンサを備え、前記開閉側ユニットの開閉動作に連動し、前記セン
サのセンサ支持部材を下方に傾斜させる傾斜機構を備えたことを特徴とする記録装置。
【請求項７】
前記傾斜機構は、前記センサ支持部材を、前記記録紙の搬送面に略平行な平行位置から
前記センサ上に堆積する異物が落下する角度まで傾斜する傾斜位置まで傾動させることを
特徴とする請求項６記載の記録装置。
【請求項８】
前記傾斜機構は、カム傾動機構を介して、前記センサ支持部材を傾動させることを特徴
とする請求項６又は７記載の記録装置。
【発明の詳細な説明】
【技術分野】
【０００１】
本発明は、記録紙に付与されたマークを検出するセンサを備えた記録装置に関する。
【背景技術】
【０００２】
一般に、ロール状の記録紙を収納する収納部を有する固定側ユニットと、この固定側ユ
ニットに開閉自在に支持される開閉側ユニットとを備えた記録装置が知られている（例え
ば、特許文献１参照）。
【０００３】
この種の記録装置では、固定側ユニットに、記録紙に付与されたマークを検出するセン
サが設けられ、このセンサにより検出された切断位置で記録紙を切断するように構成され
ているのが一般的である。
【特許文献１】特開２００４−８２７２１号公報
【発明の開示】
【発明が解決しようとする課題】
【０００４】
しかしながら、上記記録装置を長期間使用した場合には、紙粉等の異物がセンサ上に堆
積しやすく、このセンサ上に異物が堆積した状態では、センサの検出精度が低下してしま
うという問題があった。
【０００５】
そこで、本発明の目的は、上述した従来の技術が有する課題を解消し、センサの検出精
度の低下を抑制することができる記録装置を提供することにある。
【課題を解決するための手段】
【０００６】
上記課題を解決するため、本発明は、ロール状の記録紙を収納する収納部を有する固定
側ユニットを備え、この固定側ユニットに開閉自在に支持される開閉側ユニットを備え、
固定側ユニットには、記録紙に付与されたマークを検出するセンサを備え、前記開閉側ユ
ニットの開閉動作に連動し、前記センサ上を移動して、当該センサ上の紙粉等の異物を除
去するクリーニング手段を備えたことを特徴とするものである。
この構成によれば、開閉側ユニットが開閉される度に、クリーニング手段によりセンサ
上の異物が除去されるので、センサの検出精度の低下を抑制することができる。
【０００７】
前記記録装置において、前記クリーニング手段は、開閉側ユニットを開いた場合に、前
記センサ上に移動し、開閉側ユニットを閉じた場合に、前記センサ上から退避するように
してもよい。
【０００８】
また、前記記録装置において、前記クリーニング手段は、シャッター部材を備え、この
シャッター部材は、開閉側ユニットを開いた場合に、前記センサ上に移動して当該センサ
を覆って保護すると共に、開閉側ユニットを閉じた場合に、前記センサ上から退避するよ
うにしてもよい。
【０００９】
また、前記記録装置において、前記シャッター部材は、前記収納部において、ロール状
の記録紙の紙幅を規制する紙幅規制部材の外側に配置され、開閉側ユニットを開いた場合
に、前記紙幅規制部材の切り欠き部を通じてセンサ上に移動して当該センサを覆って保護
するようにしてもよい。
【００１０】
また、前記記録装置において、前記クリーニング手段は、カム移動機構を介して、前記
開閉側ユニットの開閉動作に連動するようにしてもよい。
【００１１】
ロール状の記録紙を収納する収納部を有する固定側ユニットを備え、この固定側ユニッ
トに開閉自在に支持される開閉側ユニットを備え、固定側ユニットには、記録紙に付与さ
れたマークを検出するセンサを備え、前記開閉側ユニットの開閉動作に連動し、前記セン
サのセンサ支持部材を下方に傾斜させる傾斜機構を備えたことを特徴とするものである。
この構成によれば、開閉側ユニットが開閉される度に、傾斜機構によりセンサ上の異物
が除去されるので、センサの検出精度の低下を抑制することができる。
【００１２】
前記記録装置において、前記傾斜機構は、前記センサ支持部材を、前記記録紙の搬送面
に略平行な平行位置から前記センサ上に堆積する異物が落下する角度まで傾斜する傾斜位
置まで傾動させるようにしてもよい。
【００１３】
また、前記記録装置において、前記傾斜機構は、カム傾動機構を介して、前記センサ支
持部材を傾動させてもよい。
【発明の効果】
【００１４】
本発明によれば、センサの検出精度の低下を抑制することができる。
【発明を実施するための最良の形態】
【００１５】
以下、本発明の実施形態について図面を参照して説明する。
【００１６】
［１］第１実施形態
図１〜図３に示すように、プリンタ１は、その四周側面を覆う矩形枠状のケース本体２
と、プリンタ上面の前側部分を覆う前側開閉蓋３及び後側部分を覆う後側開閉蓋４とを備
え、これらによりプリンタケースが構成されている。開閉蓋３、４の間の位置には、記録
紙排出口５が形成されている。
【００１７】
上記後側開閉蓋４には、スライドボタン６が設けられ、このスライドボタン６を操作す
ると、そのロック機構（不図示）が外れて、当該後側開閉蓋４が、図３に示すように、後
方に跳ね上げられて、開けることが可能になる。この後側開閉蓋４を開けると、ロール状
に巻かれた一定幅の記録紙７（以下、「ロール紙」という。）を収納する収納部８が露出
し、この収納部８に収納されたロール紙７が交換可能になる。また、前側開閉蓋３を開け
ると、インクリボンを収納したリボンカセット９を着脱可能に装着するリボンカセット装
着部１０が露出し、リボンカセット９の交換などを行うことができる。プリンタ１は、図
２及び図３に示すように、記録ヘッド２０を備え、この記録ヘッド２０のヘッド面２０ａ
に対向してプラテン２１が配置されている。この記録ヘッド２０は、ドットインパクト方
式の記録ヘッドであり、複数の記録ワイヤ（不図示）を備え、これら記録ワイヤをヘッド
面２０ａから選択的に突出させてプラテン２１上に搬送されたロール紙７にリボンカセッ
ト９から繰り出されたインクリボンを介して画像を記録するものである。
【００１８】
上記プリンタケースには、図２〜図４に示すように、プリンタユニット１１が内蔵され
、このプリンタユニット１１は、固定側ユニット１２と、この固定側ユニット１２に設け
られた収納部８を開閉可能に固定側ユニット１２に支持される開閉側ユニット１３とを備
えて構成されている。固定側ユニット１２には、前側開閉蓋３が固定され、開閉側ユニッ
ト１３には、後側開閉蓋４が固定されている。
【００１９】
この開閉側ユニット１３は、固定側ユニット１２の後端部分に設けられた回転中心軸３
６を中心として上下に揺動可能な状態で支持されている。
【００２０】
固定側ユニット１２は、本体フレーム４０を備えており、この本体フレーム４０の前側
部分にはキャリッジガイド軸２３が幅方向に架け渡されている。このキャリッジガイド軸
２３には、記録ヘッド２０を搭載したヘッドキャリッジ２２が往復移動可能な状態で支持
されている。また、本体フレーム４０には、リボンフレーム４１が装着されている。
【００２１】
開閉側ユニット１３は、開閉フレーム５１を備えており、この開閉フレーム５１は、図
４に示すように、前後方向に延びる左右の腕部５２、５３と、これら腕部５２、５３の前
端部分を連結している前端連結板部５４とを備えている。左右の腕部５２、５３の後端部
分は、本体フレーム４０に固定された回転中心軸３６の両端部分によって回転自在に支持
されている。これら本体フレーム４０及び開閉フレーム５１により、プリンタフレームが
構成されている。
【００２２】
本体フレーム４０後側の部分には、側方から見た場合に上方に開口した円弧状の底面を
備えた収納部８が形成されている。この収納部８には、ロール紙７の紙幅方向の移動を規
制する一対の紙幅規制部材５６、５７が設けられている。本体フレーム４０は、ベースフ
レーム４０ａと、このベースフレーム４０ａの両端に立設される一対のサイドフレーム４
０Ｌ、４０Ｒとを備え、これら一対のサイドフレーム４０Ｌ、４０Ｒ間に一対の紙幅規制
部材５６、５７が設けられている。これら一対の紙幅規制部材５６、５７の内、一方の紙
幅規制部材５６は、サイドフレーム４０Ｒに固定されて収納部８に配置され、ロール紙７
を収納部８に収納する際の基準となっている。また、他方の紙幅規制部材５７は、収納部
８において、ロール紙７の幅寸法に応じて紙幅方向と同一方向に複数の所定位置に移動可
能に配置される。従って、異なる複数種類の紙幅寸法のロール紙７を一対の紙幅規制部材
５６、５７で挟んで収納部８に収納することができる。なお、図４に示す紙幅規制部材５
７は、２種類の紙幅寸法の内、寸法が長いロール紙７に対応する位置にセットされており
、紙幅寸法が短いロール紙７を使用する場合は、紙幅規制部材５７が図４中矢印Ｘ方向に
移動され、ロール紙７が紙幅規制部材５６、５７間に収納されることとなる。
【００２３】
図２に示すように、収納部８に収納されたロール紙７は、収納部８の前端部分（収納部
８の下流）に配置されているガイドローラ１４を介して記録紙搬送路１５に導かれる。こ
の記録紙搬送路１５は、前方に向けて上方に僅かに傾斜している搬送路部分１６と、この
搬送路部分１６の前端から上方に大きな傾斜角度で立ち上がっている前方傾斜路部分１７
と、この前方傾斜路部分１７の上端から後方に向けて傾斜して記録紙排出口５に繋がって
いる後方傾斜路部分１８とを備えて構成される。なお、図２においてはロール紙７を二点
鎖線で示してある。
【００２４】
記録紙搬送路１５の搬送路部分１６は、一対の搬送ガイド１６ａ、１６ｂにより形成さ
れる。詳細に説明すると、固定側ユニット１２の収納部８に連なる固定側の搬送ガイド１
６ａと、開閉側ユニット１３を閉じた状態で固定側の搬送ガイド１６ｂに対向するように
開閉側ユニット１３に設けられる開閉側の搬送ガイド１６ａとの協働により記録紙搬送路
１５の搬送路部分１６が形成される。
【００２５】
この搬送路部分１６に続く前方傾斜路部分１７は、記録ヘッド２０のヘッド面２０ａと
、これに対して一定間隔で対向しているプラテン２１とによって規定されており、記録ヘ
ッド２０により画像が記録される記録位置となっている。記録ヘッド２０は、そのヘッド
面２０ａが後ろ向きで、上方に傾斜した姿勢で配置されている。記録ヘッド２０の傾きに
対応させて、プラテン２１の表面は前方に向けて下方に傾斜した状態に配置されている。
記録ヘッド２０は、ヘッドキャリッジ２２に搭載されており、ヘッドキャリッジ２２は、
キャリッジガイド軸２３に沿って紙幅方向と同一方向に往復移動可能となっている。
【００２６】
図２及び図３に示すように、ヘッドキャリッジ２２の上側には、リボンカセット装着部
１０が形成されている。当該リボンカセット装着部１０も後方に向けて上側に向かうよう
に傾斜配置されている。従って、ここに装着したリボンカセット９のインクリボンは、記
録ヘッド２０とプラテン２１との間に、これらと平行となるようにセット可能である。
【００２７】
前方傾斜路部分１７に連続している後方傾斜路部分１８は、プラテン２１の上端から後
方に向けて折れ曲がった方向に延びているガイド板２８によって規定されている。この後
方傾斜路部分１８には、紙送りローラ２５と、紙押さえローラ２６とを備えた紙送り機構
が配置されている。ロール紙７は、紙送りローラ２５と紙押さえローラ２６の間に挟まれ
、不図示の駆動源によって紙送りローラ２５を回転することによって記録紙搬送路１５に
沿って搬送される。なお、本構成では、プラテン２１と、その上下に連続している搬送ガ
イド１６ａ及びガイド板２８とが単一部品であるプラテンフレーム５５から形成されてい
る。このプラテンフレーム５５は、開閉フレーム５１の前端連結板部５４の前端に取り付
けられている。このプラテンフレーム５５におけるガイド板２８に形成した開口からは、
２個の紙送りローラ２５の外周面が前方に突出している。
【００２８】
記録紙排出口５の近傍には、図２及び図３に示すように、ロール紙７を切断するための
鋏式の自動切断ユニット３０が配置されている。この自動切断ユニット３０は、ロール紙
７の搬送経路を挟み、前側に配置された固定刃３１と、後側に配置された可動刃３２と、
可動刃３２を動作させるための駆動機構３３とを備えている。可動刃３２及び駆動機構３
３はケース３４に内蔵されている。可動刃３２及び駆動機構３３は、開閉フレーム５１の
前端連結板部５４（図４）上に、水平に搭載されている。固定刃３１と可動刃３２との間
にあるロール紙７は、可動刃３２が固定刃３１の上面を摺動することによって切断される
。また、記録紙排出口５の前縁部分には手動操作によりロール紙７を切断可能な切断刃３
５が取り付けられている。
【００２９】
このプリンタユニット１１では、ロール紙７の交換作業などを簡単に行うことができる
ように、図３に示すように、ロール紙７を収納する収納部８を閉塞している開閉蓋４を開
けると、収納部８と共に、記録紙搬送路１５も開放状態となるように構成されている。そ
のために、固定側ユニット１２には、記録紙搬送路１５を構成する一方の構成部品を取り
付け、移動側である開閉側ユニット１３には開閉蓋４と、記録紙搬送路１５を構成する他
方の構成部品とを取り付け、開閉側ユニット１３を開くと、収納部８及び固定側の搬送ガ
イド１６ｂが露出されるようになっている。
【００３０】
固定側ユニット１２は、収納部８、搬送路部分１６の固定側の搬送ガイド１６ｂ、記録
ヘッド２０、紙押さえローラ２６及び自動切断ユニット３０の固定刃３１を備えている。
また、開閉側ユニット１３は、搬送路部分１６、前方傾斜路部分１７及び後方傾斜路部分
１８を規定するプラテンフレーム５５（開閉側の搬送ガイド１６ａ、プラテン２１及びガ
イド板２８）と、紙送りローラ２５と、自動切断ユニット３０の可動刃３２及び駆動機構
３３とを備えている。この可動刃３２が何らかの故障で切断状態、つまり可動刃３２が固
定刃３１と交叉状態で停止されたときであっても、可動刃３２が固定刃３１の上側に位置
するので、開閉側ユニット１３は、移動可能となる。
【００３１】
このように、開閉側ユニット１３を全開にすると、上方からロール紙７を収納部８に落
とし込むという簡単な操作によりロール紙７を収納できる。また、記録紙搬送路１５が開
放状態になっているので、記録紙搬送路１５に沿ってロール紙７を配置する操作も極めて
簡単である。更に、開閉側ユニット１３を閉じて図２に示す状態に戻すと、ロール紙７が
記録ヘッド２０とプラテン２１の間、及び紙送りローラ２５と紙押さえローラ２６の間を
通って記録紙排出口５から引き出された状態が自動的に形成される。
【００３２】
図５は、ロール紙を示す斜視図である。この図５に示すロール紙７の記録面７ａ（表面
）には、切断位置を識別するためのマークとしてのブラックマーク１００が、紙幅方向の
一方の端部（一端部）Ａに沿って長さ方向に一定の間隔で付与されている。
【００３３】
図２及び図３に示すように、上記搬送ガイド１６ａ、１６ｂには、ロール紙７（図５）
に付与されているブラックマーク１００を検出するセンサ３７が設けられている。このセ
ンサ３７は、発光部及び受光部を有する光反射型センサ素子３８と、反射部としての反射
板３９とを備えて構成される。センサ３７の光反射型センサ素子３８は、ロール紙７に付
与されているブラックマーク１００に対向するように配置される。つまり、センサ３７の
光反射型センサ素子３８は、図６に示すように、固定側の搬送ガイド１６ｂにおける紙幅
規制部材５６側の端部に配置される。ロール紙７は、紙幅規制部材５６を基準に収納部８
に収納されるので、光反射型センサ素子３８は、表面７ａにおける紙幅方向の一端部Ａに
ブラックマーク１００が付与されている規格のロール紙７であれば、紙幅寸法Ｗの異なる
規格であっても、ブラックマーク１００に対向する。このセンサ３７の光反射型センサ素
子３８によりブラックマーク１００が検出された場合に、自動切断ユニット３０が作動し
、ロール紙７が所定長に切断される。
【００３４】
固定側の搬送ガイド１６ｂには、図３及び図６に示すように、センサ３７の光反射型セ
ンサ素子３８が取り付けられる取付部６１が形成されている。また、開閉側の搬送ガイド
１６ａには、図３に示すように、センサ３７の反射板３９を取り付けるための取付部６２
が形成されている。
【００３５】
固定側の搬送ガイド１６ｂにおける取付部６１は、一方の紙幅規制部材５６により規制
されたロール紙７（図５）の一端部Ａ（紙幅規制部材５６側）に対向するように形成され
、開閉側の搬送ガイド１６ａにおける取付部６２は、一方の紙幅規制部材５６により規制
されたロール紙７（図５）の一端部Ａに対向するように形成される。この開閉側の搬送ガ
イド１６ａの取付部６２には、反射板３９が、搬送ガイド１６ａの一部として機能するセ
ンサホルダ６８を用いて取付自在に構成されている。
【００３６】
センサ３７の光反射型センサ素子３８は、図２及び図３に示すように、回路基板６３に
配置され、光反射型センサ素子３８を保護するために覆う透明体のセンサカバー６４（セ
ンサ支持部材）に回路基板６３ごと支持される。
【００３７】
固定側の搬送ガイド１６ｂの取付部６１近傍には、図６に示すように、開口６９が形成
されており、光反射型センサ素子３８は、固定側の搬送ガイド１６ｂの搬送面とは反対の
裏面からセンサカバー６４及び開口６９を通じて記録紙搬送路１５の搬送路部分１６に臨
むように取付部６１に取り付けられる。
【００３８】
図２及び図３に示すように、センサ３７の反射板３９は、反射支持部６５に支持される
。具体的には、反射板３９は、反射支持部６５に貼付される。センサホルダ６８には、開
口７０が形成されており、反射板３９は、開閉側の搬送ガイド１６ａの搬送面とは反対の
裏面から開口７０を通じて記録紙搬送路１５の搬送路部分１６に臨むように対応する取付
部６２に取り付けられる。
【００３９】
このセンサ３７の光反射型センサ素子３８の検出精度を向上させるために、ロール紙７
の表面７ａ（図５）とセンサ３７の光反射型センサ素子３８の検出面３８ａとの間の距離
を適正に設定しなければならない。従って、光反射型センサ素子３８は、検出面３８ａ（
つまり、センサカバー６４のカバー面６４ａ）が搬送ガイド１６ｂの搬送面よりも低い位
置となるように設置される。
【００４０】
ところで、センサ３７の光反射型センサ素子３８は、固定側の搬送ガイド１６ｂに配置
され、この固定側の搬送ガイド１６ｂは、ロール紙７の下側に位置するため、センサカバ
ー６４上（つまり、センサ３７の光反射型センサ素子３８上）には、ロール紙７で発生す
る紙粉等の異物が堆積しやすい。
特に、このセンサカバー６４は、固定側の搬送ガイド１６ｂの搬送面よりも低い位置に
配置されるので、このセンサカバー６４上には凹所が形成され、この凹所には紙粉等の異
物が堆積しやすくなっている。
【００４１】
図７は、開閉側ユニット１３を閉じた状態を示すプリンタ１の部分斜視図であり、図８
は、図７のＡ−Ａ線に沿うプリンタ１の部分断面図である。また、図９は、開閉側ユニッ
ト１３を開いた状態を示すプリンタ１の部分斜視図であり、図１０は、図９のＢ−Ｂ線に
沿うプリンタ１の部分断面図である。
【００４２】
本第１実施形態では、図７及び図８に示すように、固定側の搬送ガイド１６ｂに配置さ
れたセンサカバー６４上の紙粉等の異物を除去するクリーニング部７１を備えて構成され
ている。このクリーニング部７１は、略Ｌ字形状の板材からなるシャッター部材７３を備
え、このシャッター部材７３は、固定側の搬送ガイド１６ｂの搬送面と同一面内に配置さ
れている。従って、仮に固定側の搬送ガイド１６ｂ上にロール紙が存在していたとしても
、ロール紙に接触して傷をつけてしまうことはない。
このシャッター部材７３の基端部７３ｂは、サイドフレーム４０Ｒに形成された軸８０
に回動自在に支持されると共に、当該基端部７３ｂには、引張ばねとしてのコイルばね７
４の一端が取り付けられ、このコイルばね７４の他端はベースフレーム４０ａに接続され
ている。従って、このシャッター部材７３は、コイルばね７４により、図中矢印Ｙ方向に
、ばね付勢されている。
【００４３】
また、シャッター部材７３の基端部７３ｂには、カム部材７５（第１のカム部材）が固
定されており、このカム部材７５には、図８に示すように、係合部７６（第１の係合部）
の先端が当接可能に構成されている。
この係合部７６は、開閉側ユニット１３に固定されており、この開閉側ユニット１３が
閉じられた場合、カム部材７５に当接して、コイルばね７４のばね付勢力に抗して、光反
射型センサ素子３８を避けた退避位置に、当該シャッター部材７３を退避させる。これら
カム部材７５及び係合部７６が、いわゆるカム移動機構７７を構成している。開閉側ユニ
ット１３を開いた状態では、図９及び図１０に示すように、係合部７６の先端がカム部材
７５から離れて、その拘束を解かれ、コイルばね７４のばね付勢力によって、シャッター
部材７３の先端部７３ａが遮蔽位置に移動して、光反射型センサ素子３８上のセンサカバ
ー６４を保護する。
【００４４】
このシャッター部材７３の先端部７３ａには、センサカバー６４に接触するようにブラ
シ７２が取り付けられ、上述したように、シャッター部材７３の先端部７３ａが遮蔽位置
に移動した場合には、このブラシ７２により光反射型センサ素子３８上のセンサカバー６
４に堆積した異物が除去される。
本構成では、開閉側ユニット１３を開閉する毎に、カム移動機構７７を介して、シャッ
ター部材７３の先端部７３ａが、退避位置と遮蔽位置との間を移動し、その都度、ブラシ
７２によって、光反射型センサ素子３８上のセンサカバー６４に堆積した異物が除去され
ることとなるので、センサ３７の光反射型センサ素子３８の検出精度の低下を抑制するこ
とができる。
【００４５】
上記カム移動機構７７は、基準としての紙幅規制部材５６の外側に配置され、シャッタ
ー部材７３の先端部７３ａは、図８に示すように、紙幅規制部材５６の切り欠き部５６ａ
及びサイドフレーム４０Ｒの切り欠き部４０ｂを通じて、当該紙幅規制部材５６の内側に
配置されている。そして、開閉側ユニット１３を開いた場合には、図１０に示すように、
紙幅規制部材５６の切り欠き部５６ａ及びサイドフレーム４０Ｒの切り欠き部４０ｂを通
じて、光反射型センサ素子３８上に移動して、当該光反射型センサ素子３８を覆って保護
するように構成されている。
【００４６】
上記構成では、カム移動機構７７が紙幅規制部材５６の外側に配置されることとなるの
で、開閉側ユニット１３を閉じた場合に、カム移動機構７７が記録紙搬送路１５（つまり
、搬送路部分１６）を通過するロール紙の搬送を妨げることはなく、安定した記録動作を
維持することができる。
【００４７】
［２］第２実施形態
上記第１実施形態では、クリーニング部７１が、センサ３７の光反射型センサ素子３８
上のセンサカバー６４上を移動して紙粉等の異物を除去するものであったが、本第２実施
形態では、センサカバー自体が傾動してセンサカバー上の紙粉等の異物を除去するもので
ある。以下、この第２実施形態において、上記第１実施形態と同様な部分は、同一の符号
を付すことにより説明を省略する。
【００４８】
図１１は、第２実施形態において開閉側ユニット１３を開いた状態を示すプリンタユニ
ット１１ａを示す斜視図である。また、図１２は、図１１のセンサカバー１６４近傍の断
面を示す概略断面図である。また、図１３は、第２実施形態において開閉側ユニット１３
を閉じた状態を示すプリンタユニット１１ａを示す斜視図である。また、図１４は、図１
３のセンサカバー１６４近傍の断面を示す概略断面図である。
【００４９】
プリンタユニット１１ａは、図１１及び図１２に示すように、開閉側ユニット１３の開
閉動作に連動して、光反射型センサ素子３８のセンサカバー１６４を下方に傾斜させる傾
斜機構１７１を備えている。
【００５０】
この傾斜機構１７１は、センサカバー１６４を、図１４に示す搬送ガイド１６ｂの搬送
面に略平行な平行位置から、図１２に示す光反射型センサ素子３８上のセンサカバー１６
４に堆積する異物が落下する角度θまで傾斜する傾斜位置まで傾動させる。
【００５１】
具体的な構成について説明すると、センサカバー１６４には、図１２及び図１４に示す
ように、ロール紙の紙幅方向と同一方向に支点軸１８０が形成され、この支点軸１８０が
固定側の搬送ガイド１６ｂに支持されている。つまり、センサカバー１６４は、支点軸１
８０を中心に揺動自在に固定側の搬送ガイド１６ｂに支持されている。
【００５２】
また、光反射型センサ素子３８は、センサカバー１６４において、ロール紙の紙送り方
向と同一方向の一端部１６４ａに寄せて支持されている。
更に、このセンサカバー１６４の一端部１６４ａは、引張ばねとしてのコイルばね１７
４が取り付けられており、開閉側ユニット１３を開いた状態で図１２に示す傾斜位置とな
るようにこのコイルばね１７４によって、常時、ばね付勢されている。従って、開閉側ユ
ニット１３を開いた場合に、光反射型センサ素子３８が固定側の搬送ガイド１６ｂの下側
に潜り込むようにセンサカバー１６４が傾斜する。このコイルばね１７４の一端は、セン
サカバー１６４の一端部１６４ａに接続され、コイルばね１７４の他端は、下方に位置す
るベースフレーム４０ａに接続される。これら支点軸１８０及びコイルばね１７４により
傾斜機構１７１が構成されている。
【００５３】
センサカバー１６４の他端部１６４ｂには、棒状のカム部材１７５（第２のカム部材）
が固定され、図１１に示すように、このカム部材１７５が、紙幅規制部材５６の切り欠き
部１５６ａ及びサイドフレーム４０Ｒの切り欠き部１４０ａを通じて紙幅規制部材５６の
外側に突出している。
【００５４】
開閉側ユニット１３には、当該開閉側ユニット１３を閉じたときにカム部材１７５に当
接して、コイルばね１７４のばね付勢力に抗して光反射型センサ素子３８を図１４に示す
平行位置に押し戻す係合部１７６（第２の係合部）が固定されている。これらカム部材１
７５及び係合部１７６によりカム傾動機構１７７が構成されている。
【００５５】
以上、本第２実施形態では、傾斜機構１７１により、開閉側ユニット１３が開かれた場
合にセンサカバー１６４が傾斜するので、光反射型センサ素子３８上のセンサカバー１６
４に堆積した紙粉等の異物が下方（ベースフレーム４０ａ）に落下し、センサカバー１６
４上の異物が除去される。従って、光反射型センサ素子３８の検出精度の低下を抑制する
ことができる。
【００５６】
また、開閉側ユニット１３を開いた場合に、光反射型センサ素子３８が固定側の搬送ガ
イド１６ｂの下側に潜り込むようにセンサカバー１６４が傾斜するので、センサカバー６
４の光反射型センサ素子３８に対応する箇所がユーザによって傷つけられるのを抑制する
ことができ、センサ３７の光反射型センサ素子３８の検出精度の低下を抑制することがで
きる。また、カム傾動機構１７７が紙幅規制部材５６の外側に配置されることとなるので
、カム傾動機構１７７が記録紙搬送路１５（つまり、搬送路部分１６）を通過するロール
紙の搬送を妨げることはなく、安定した記録動作を維持することができる。
【００５７】
以上、一実施形態に基いて本発明を説明したが、本発明は、これに限定されるものでは
ない。例えば、上記実施形態では、ドットインパクト式の記録ヘッド２０を備えたプリン
タに関するものであるが、記録ヘッドとしてインクジェットヘッドを用いたプリンタに対
しても本発明を同様に適用可能である。更に、記録ヘッドとしてサーマルヘッドのような
接触型のものを用いたプリンタに対しても適用可能である。
【００５８】
また、上記実施形態では、センサ３７が、光反射型センサ素子３８及び反射板３９を備
えて構成される場合について説明したが、センサが、光反射型センサ素子のみで構成され
る場合であってもよい。また、上記実施形態では、センサ３７が光反射型センサ素子３８
を備えている場合について説明したが、センサが光透過型センサ素子を備えている場合に
ついても適用可能である。さらに、上記実施形態では、センサ３７の光反射型センサ素子
３８が、固定側の搬送ガイド１６ｂに配置される場合について説明したが、これに限るも
のではなく、固定側ユニット１２の固定側の搬送ガイド１６ｂ以外の箇所にセンサ３７の
光反射型センサ素子３８が配置される場合についても適用可能である。
また、上記実施形態ではクリーニング部材として、ブラシについて説明したがゴム材料
や発泡材等を用いても良い。
【図面の簡単な説明】
【００５９】
【図１】本発明の第１実施形態に係る記録装置としてのプリンタの外観を示す正面斜視図である。
【図２】プリンタの概略側断面図である。
【図３】開閉蓋を開けた状態でのプリンタの概略側断面図である。
【図４】開閉側ユニットを開いた状態のプリンタユニットを示す斜視図である。
【図５】ロール紙を示す斜視図である。
【図６】固定側ユニットの斜視図である。
【図７】開閉側ユニットを閉じた状態を示すプリンタの部分斜視図である。
【図８】図７のＡ−Ａ線に沿うプリンタの部分断面図である。
【図９】開閉側ユニットを開いた状態を示すプリンタの部分斜視図である。
【図１０】図９のＢ−Ｂ線に沿うプリンタの部分断面図である。
【図１１】第２実施形態において開閉側ユニットを開いた状態を示すプリンタユニットを示す斜視図である。
【図１２】図１１のセンサカバー近傍の断面を示す概略断面図である。
【図１３】第２実施形態において開閉側ユニットを閉じた状態を示すプリンタユニットを示す斜視図である。
【図１４】図１３のセンサカバー近傍の断面を示す概略断面図である。
【符号の説明】
【００６０】
１…プリンタ、７…ロール紙（記録紙）、８…収納部、１２…固定側ユニット、１３…
開閉側ユニット、２０…記録ヘッド、３７…センサ、３８…光反射型センサ素子、５６，
５７…紙幅規制部材、５６ａ…切り欠き部、６４、１６４…センサカバー（センサ保持部
材）７１…クリーニング部（クリーニング手段）、７２…ブラシ、７３…シャッター部材
、７７…カム移動機構、１００…ブラックマーク（マーク）、１７１…傾斜機構、１７７
…カム傾動機構。
【図１】
2006062219.tif 000003
【図２】
2006062219.tif 000004
【図３】
2006062219.tif 000005
【図４】
2006062219.tif 000006
【図５】
2006062219.tif 000007
【図６】
2006062219.tif 000008
【図７】
2006062219.tif 000009
【図８】
2006062219.tif 000010
【図９】
2006062219.tif 000011
【図１０】
2006062219.tif 000012
【図１１】
2006062219.tif 000013
【図１２】
2006062219.tif 000014
【図１３】
2006062219.tif 000015
【図１４】
2006062219.tif 000016